(57)【要約】【課題】この発明は、締結筒と、締結軸との締結係止に当り、その解除ができるようにすることを目的としたものである。【解決手段】この発明は、締結筒の中心部へ締結軸を圧入して、該締結軸の外壁に所定間隔をおいて設けた複数の係止突条と、前記締結筒の内壁に、円周方向へ間隔をおいて突設した複数の弾性係止片とを係止させると共に、前記締結軸又は締結筒を円周方向へ回動させて、前記係止突条と前記弾性係止片との締結を解除することを特徴とした筒体と軸杆の締結・解除方法により目的を達成した。【選択図】      図１
2004176727.tif 000002
【特許請求の範囲】
【請求項１】
締結筒の中心部へ締結軸を圧入して、該締結軸の外壁に所定間隔をおいて設けた複数の係止突条と、前記締結筒の内壁に、円周方向へ間隔をおいて突設した複数の弾性係止片とを係止させると共に、前記締結軸又は締結筒を円周方向へ回動させて、前記係止突条と前記弾性係止片との締結を解除することを特徴とした筒体と軸杆の締結・解除方法。
【請求項２】
締結軸又は締結筒の円周方向の回動は、９０度以下とすることを特徴とした請求項１記載の筒体と軸杆の締結・解除方法。
【請求項３】
締結筒の内壁と、締結軸の外壁へ、互いに共同する締結手段を円周方向へ間隔をおいて設けると共に、前記締結筒と、締結軸の一方又は両方を回動させて締結を解除できる解除手段を具備させたことを特徴とする筒体と軸杆の締結・解除装置。
【請求項４】
締結手段は、締結筒の内壁の円周方向へ間隔をおいて設けた弾性係止片と、締結軸の外壁へ、間隔をおいて軸方向に設けた係止突条との係止としたことを特徴とする請求項３記載の筒体と軸杆の締結・解除装置。
【請求項５】
解除手段は、締結筒の内壁に設けた弾性係止片の間隔を、締結軸の外壁に設けた係止突条の円周方向の幅より大きくしたことを特徴とする請求項３記載の筒体と軸杆の締結・解除装置。
【請求項６】
締結筒の内壁へ、円周方向に複数の弾性係止片の基部を間隔をおいて固定し、該弾性係止片の先端部を締結筒の中央部へ向けて鈍角に屈曲させると共に、前記締結筒に挿入係止する締結軸の外壁へ、前記弾性係止片と対応して係止する突条を軸心と平行して設け、前記隣接弾性係止片間の間隔を、前記締結軸の突条の幅より大きくしたことを特徴とする筒体と軸杆の締結・解除装置。
【請求項７】
締結筒の内壁へ、円周方向に複数の弾性係止片の基部を間隔をおいて固定し、該弾性係止片の先端部を締結筒の中央部へ向けて鈍角に屈曲させると共に、前記締結筒に挿入係止する締結軸の外壁へ、前記弾性係止片と対応して係止する突条を軸心と平行して設け、前記隣接弾性係止片間の間隔を、前記締結軸の突条の幅より大きくすると共に、前記弾性係止片の廻り止め手段を設けたことを特徴とする筒体と軸杆の締結・解除装置。
【請求項８】
廻り止め手段は、締結筒の内壁へ中心軸と平行に設けた平面に、弾性係止片の外周直線部を当接したことを特徴とする請求項７記載の筒体と軸杆の締結・解除装置。
【発明の詳細な説明】
【０００１】
【発明の属する技術分野】
この発明は、締結筒の一端面と、締結軸頭との間に目的物を挟着し、前記締結筒と、締結軸とを緊締固定すると共に、前記締結筒と締結軸との緊締解除することを目的とした筒体と軸杆の締結・解除方法及び装置に関する。
【０００２】
【従来の技術】
従来目的物を固定するために、ボルトとナットを用いることは広く知られている。その他の固定方法としては金属板の溶接固着又は鋲固定なども使用されており、ナットを固定した板ばねの穴へボルトを嵌入固定した締結装置も知られている。
【０００３】
【特許文献１】特開２００１−１０７９３９号公報
【０００４】
【特許文献２】実公平５−４５６９号公報
【０００５】
【発明により解決しようとする課題】
前記従来最も多用されていたボルトとナットによる締結装置は、締結に時間・労力が多くかかるのみならず、夫々専用の工具を必要とする問題点があった。
【０００６】
また、溶接などにおいては、溶接技術のみならず、溶接器具を要し、かつ電気を必須要件とする問題点があった。
【０００７】
次に出願人は、先にワンタッチ締結装置を発明したのであるが、締結後の解除が困難であったので、更に研究し、締結確実でしかも解除容易な技術を開発し、一層有用化したものである。
【０００８】
【課題を解決するための手段】
この発明は、締結筒の分離した弾性係止片と、締結軸の係止突条とを係止させると共に、締結筒又は締結軸を回動して、前記弾性係止片と締結軸の締結を解除することにより、締結確実で解除容易な締結装置を得たのである。
【０００９】
即ち方法の発明は、締結筒の中心部へ締結軸を圧入して、該締結軸の外壁に所定間隔をおいて設けた複数の係止突条と、前記締結筒の内壁に、円周方向へ間隔をおいて突設した複数の弾性係止片とを係止させると共に、前記締結軸又は締結筒を円周方向へ回動させて、前記係止突条と前記弾性係止片との締結を解除することを特徴とした筒体と軸杆の締結・解除方法であり、締結軸又は締結筒の円周方向の回動は、９０度以下とするものである。
【００１０】
また、装置の発明は、締結筒の内壁と、締結軸の外壁へ、互いに共同する締結手段を円周方向へ間隔をおいて設けると共に、前記締結筒と、締結軸の一方又は両方を回動させて締結を解除できる解除手段を具備させたことを特徴とする筒体と軸杆の締結・解除装置である。次に、締結手段は、締結筒の内壁の円周方向へ間隔をおいて設けた弾性係止片と、締結軸の外壁へ、間隔をおいて軸方向に設けた係止突条との係止としたものであり、解除手段は、締結筒の内壁に設けた弾性係止片の間隔を、締結軸の外壁に設けた係止突条の円周方向の幅より大きくしたものである。
【００１１】
更に、他の装置の発明は、締結筒の内壁へ、円周方向に複数の弾性係止片の基部を間隔をおいて固定し、該弾性係止片の先端部を締結筒の中央部へ向けて鈍角に屈曲させると共に、前記締結筒に挿入係止する締結軸の外壁へ、前記弾性係止片と対応して係止する突条を軸心と平行して設け、前記隣接弾性係止片間の間隔を、前記締結軸の突条の幅より大きくしたことを特徴とする筒体と軸杆の締結・解除装置である。
【００１２】
また、締結筒の内壁へ、円周方向に複数の弾性係止片の基部を間隔をおいて固定し、該弾性係止片の先端部を締結筒の中央部へ向けて鈍角に屈曲させると共に、前記締結筒に挿入係止する締結軸の外壁へ、前記弾性係止片と対応して係止する突条を軸心と平行して設け、前記隣接弾性係止片間の間隔を、前記締結軸の突条の幅より大きくすると共に、前記弾性係止片の廻り止め手段を設けたことを特徴とする筒体と軸杆の締結・解除装置である。
【００１３】
次に他の発明は、廻り止め手段は、締結筒の内壁へ中心軸と平行に設けた平面に、弾性係止片の外周直線部を当接したものである。
【００１４】
この発明における締結筒及び締結軸の材質は、使用目的に応じ金属（例えばステンレススチール、特殊鋼、その他の金属）及び硬質合成樹脂（例えばナイロン、塩化ビニリデン、その他の強靱な合成樹脂）が使用できる。
【００１５】
また、弾性係止片の材質は、弾性を有する強靱な金属（例えばステンレススチール、ばね鋼など）及び強靱な合成樹脂がある。
【００１６】
この発明は、弾性係止片端と、締結軸の係止外壁面との弾力的当接緊結によって、締結軸の脱抜が防止されるのであるから、弾性係止片は締結軸壁に確実に係止しなければならない。例えば、締結軸壁に平行段部又は平行溝を設けて、前記弾性係止片端と係止させれば、弾性係止片の破壊までは締結軸を引き抜くことができない。
【００１７】
前記締結筒と、締結軸の係止強度は、夫々の材質、寸法、形状、構造などにより大差があるが、５０ｋｇ〜数トンまで考えられ、実際の使用に際しては、用途に応じて、前記条件を満足させることができるものを選定する。
【００１８】
この発明においては、確実な締結と、容易な解除との相反する特性を満足させなければならないが、締結軸（又は締結筒）の回動を要件にしているので、適当な廻り止め手段を用意する必要がある。廻り止め手段は弾性係止片の回動を確実に停止すると共に、弾性係止片と締結軸の係止突条との相対位置は簡易に回動可能の状態を再現できなければならない。
【００１９】
この発明の装置であっても、解除を要しない場所で使用する場合には、締結軸と係止突条の相対的改回転ができないようにする必要がある。
【００２０】
この発明における弾性係止片は、締結軸の挿入が容易で、後退不能にしなければならない。また、締結筒と締結軸は相対的に回動可能であり、必要に応じ回動できるようにしてあるが、不慮の外力によって自動回動しないよう、外力ロック手段を付与する必要がある（例えば廻り止めピン）。また回動摩擦力を通常考えられる外力より大きくとることもできる。
【００２１】
次に、弾性係止片の屈曲角度は、軸心に直角な面から通常５度〜３０度が使用され、１５度〜２０度が好ましい（軸心に平行な面からすれば、９５度〜１２０度の範囲）。
【００２２】
この発明における弾性係止片の数は、同一円周上で２〜４枚であり、好ましくは３枚である。各弾性係止片の大きさは、２枚のときは円周上で４分の１（１枚当たり９０°に相当）の大きさ、３枚のときは６分の１（１枚当たり６０°に相当）の大きさ、４枚のときは８分の１（１枚当たり４５°に相当）の大きさであるが、３枚のときの６分の１（６０°以下）が普通である。
【００２３】
この発明における弾性係止片は、円周方向へ２枚〜４枚、軸方向へ適度の間隔で１段〜４段設けるが、求める係止強度を勘案して定める。
【００２４】
【発明の実施の形態】
この発明は、締結筒の内壁の円周方向へ、先端側を屈曲した複数の弾性係止片を所定間隔で均等かつ１段又は複数段に設置し、前記各弾性係止片の先端部間隔を、締結軸の外壁の突条の幅より小さく形成してある。即ち締結筒内へ締結軸を差し込むと、前記弾性係止片の先端は、締結突条の外壁に沿って弾性変形し、自動的に係止する。従って、前記締結軸は、前進（挿入方向）は自由で後退不能になっている。
【００２５】
前記締結筒又は締結軸を相対的に回動させることにより、弾性係止片と、締結突条との係止が解除されるので、締結軸の後退が可能になり、締結筒と締結軸との締結が解除される。
【００２６】
この発明の弾性係止片は、締結軸の係止突条の数に対応して２〜４枚設けられ、軸方向へ１段〜４段設けるが、前記弾性係止片の円周方向の数及び軸方向の段数に制約はない。
【００２７】
また、締結筒の弾性係止片と、締結軸の係止突条とは、常に対応して設けられているので、共同して締結する。また、係止突条の壁面は粗面（凹凸、環状溝、環状段部その他）になっており、締結を確実にしている。
【００２８】
前記弾性係止片の廻り止め手段については、締結軸の内壁に平面を設けたり、又は締結筒を角穴にして、角弾性係止片の外周を前記角穴に嵌合するようにしたり、弾性係止片をピン固定としたりするなど適宜定め、その構造に限定はない。
【００２９】
【実施例１】
この発明の実施例を図面に基づいて説明する。頂板１ａを有するステンレス筒１の内壁下部に、弾性係止片５を設置するための環状凹入部２を設け、該環状凹入部２へ、下部より案内板３、スペースリング４ａ、弾性係止片５付リング６ａ、スペースリング４ｂ、弾性係止片５付リング６ｂ、スペースリング４ｃ及び弾性係止片５付リング６ｃを順次積層して設置し、締結筒７を構成した（図１）。また、ステンレス軸８の外壁に、前記弾性係止片５に対応する数の係止突条９を軸心と平行に設けて締結軸１０を構成した。図中８ａは軸頭、１ｂは案内板３を固定するために矢示２１のように屈曲形成した鍔である（図３）。
【００３０】
前記弾性係止片５をリング６（全部をいう）へ、３枚（弾性係止片５ａ、５ｂ、５ｃ）等間隔に設けた場合には（図１（ｃ））、締結軸１０の係止突条９も３条（９ａ、９ｂ、９ｃ）設けて（図３（ｂ））、前記弾性係止片５ａ、５ｂ、５ｃが、係止突条９ａ、９ｂ、９ｃに対応して係止できるようにしてある。
【００３１】
前記スペースリング４ａには、図２（ｂ）図示のように外周壁に直線部１７が設けられており、スペースリング４ｂ（４ｃも同様）にも同様に直線部１８（図２−（ｃ））が設けられている。さらに、スペースリング４ａ、４ｂ、４ｃと共にステンレス筒１内に積層される弾性係止片５付リング６の外周にも直線部１１が設けてあり、締結筒７の内壁に前記スペースリング４（全部をいう）及びリング６の外周の直線部１１、１７、１８に対応する平面１２が設けてあるので、締結軸１０を挿入締結した後、締結軸１０を回動しても、係止片付リング６は前記直線部１１、１７、１８と、平面部１２の当接により相対的に回転できない。従って、締結解除時に係止片５付リング６が回動するおそれはない。また、スペースリング４ａ、４ｂ、４ｃの回動も阻止される。
【００３２】
前記実施例において、図４（ａ）中矢示１３のように締結軸１０を挿入すれば、各弾性係止片５ａ、５ｂ、５ｃは、図４（ａ）、（ｃ）のように弾性変形し係止して締結軸１０の移動を不可能にし、前記締結後の締結軸１０を図４（ｂ）中矢示１４のように引き出そうとしても、前記弾性係止片５の先端部が締結軸１０の平行段部１５（図３）に係止して脱抜不能となる（図４）。
【００３３】
このように締結軸１０は、締結筒７から脱抜不能となるので、図５図示のように被締結物１９、２０を重ね合わせ、重ね合わせた被締結物１９、２０の一側に締結筒７を配置し、他側から締結軸１０を挿入すれば、締結筒７と、締結軸１０の頭部８ａとにより被締結物１９、２０を強固かつ確実に緊結固定できる。
【００３４】
前記実施例によれば、弾性係止片数の多少に関係なく締結筒７と、締結軸１０とを締結し、被締結物１９、２０を固定して元来の目的を達成することができる。前記のように、この発明はワンタッチで被締結物を締結することができる。
【００３５】
次に、締結軸１０を回動して、弾性係止片５（全部の場合）と、係止突条９（全部の場合）との係止を解除すれば、締結筒７から締結軸１０を容易に抜き取り、締結を解除できる。
【００３６】
すなわち、締結軸１０を矢示１６のように回転させ（図５（ｂ））、図５（ｃ）図示のように、弾性係止片５ａ、５ｂ、５ｃの間へ係止突条９ａ、９ｂ、９ｃが入るようにすれば、弾性係止片５ａ、５ｂ、５ｃと係止突条９ａ、９ｂ、９ｃとの係止が解除されるので、図４（ｂ）、（ｄ）のように締結軸１０を矢示１４の方向へ抜くことができる（締結解除）。
【００３７】
前記締結軸１０の回動は、締結筒７との相対運動になるから、締結軸１０と締結筒７の何れか一方又は両方（互いに逆方向）を回動しても同様である。
【００３８】
ここで、締結軸１０又は締結筒７を回動する時に、弾性係止片５が一緒に回動すると係止解除ができない。しかし、前記のように弾性係止片５付リング６の外周に設けた直線部１１、１７、１８と、締結筒７の内壁に前記直線部１１、１７、１８に対応して設けた平面１２とを嵌合当接させてあり、弾性係止片５が回動することはないので、締結軸１０と締結筒７との係止を容易に解除することができる。
【００３９】
【発明の効果】
この発明は、締結筒の弾性係止片と、締結軸の係止突条とを係止したので、両者をワンタッチで確実に係止できると共に、締結筒又は締結軸を回動し、前記係止を解除すれば、両者の締結を容易に解除できる効果がある。
【図面の簡単な説明】
【図１】（ａ）この発明の締結筒の一部断面図。
（ｂ）同じく図（ａ）中Ａ−Ａ断面図。
（ｃ）同じく弾性係止片付リングの平面図。
（ｄ）同じく図（ｃ）中Ｂ−Ｂ断面図。
【図２】（ａ）同じくスペースリングの平面図。
（ｂ）同じく図（ａ）中Ｃ−Ｃ断面図。
（ｃ）同じくスペーサーの平面図。
（ｄ）同じく図（ｃ）中Ｄ−Ｄ断面図。
（ｅ）同じく案内リングの平面図。
（ｆ）同じく図（ｅ）中Ｅ−Ｅ断面図。
【図３】（ａ）同じく締結軸の正面図。
（ｂ）同じく図（ａ）中Ｆ−Ｆ断面図。
【図４】同じく締結・解除の説明図で、
（ａ）同じく締結図（係止リング１段）。
（ｂ）同じく解除図。
（ｃ）同じく締結図（係止リング３段）。
（ｄ）同じく解除図。
【図５】（ａ）同じく使用状態の一部断面図。
（ｂ）同じく係止状態の横断平面図。
（ｃ）同じく解除後の横断平面図。
【符号の説明】
１  ステンレス筒
２  環状凹入部
３  案内板
４  スペースリング
５  弾性係止片
６  係止片付リング
７  締結筒
８  ステンレス軸
９  突条
１０  締結軸
【図１】
2004176727.tif 000003
【図２】
2004176727.tif 000004
【図３】
2004176727.tif 000005
【図４】
2004176727.tif 000006
【図５】
2004176727.tif 000007